【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
第１の入力によって構成される第１の操作と、前記第１の入力と前記第１の入力に後続する入力との組み合わせによって構成される第２の操作とを認識可能な情報処理装置であって、
操作オブジェクトによる入力を検出する検出手段と、
前記検出手段によって前記操作オブジェクトによる前記第１の入力が検出された後の、前記第１の入力の対象となった入力対象面に平行な方向への前記操作オブジェクトの移動が所定の条件を満たす場合、前記第１の入力に後続する入力の有無にかかわらず、前記第１の操作に対応する応答を開始するように出力を制御する制御手段と
を備えることを特徴とする情報処理装置。
【請求項２】
前記第１の入力に後続する入力とは、前記第１の入力の後、所定時間が経過するまでに入力される入力であって、
前記制御手段は、前記検出手段によって前記第１の入力が検出された後の、前記入力対象面に平行な方向への前記操作オブジェクトの移動が前記所定の条件を満たす場合、前記第１の入力の後で前記所定時間が経過するのを待つこと無しに、前記第１の操作に対応する応答を開始するように出力を制御することを特徴とする請求項１に記載の情報処理装置。
【請求項３】
前記制御手段は、前記第１の入力が検出された後の、前記入力対象面に平行な方向への前記操作オブジェクトの移動が前記所定の条件を満たさず、かつ、前記第１の入力の後で前記所定時間が経過するまでに、前記検出手段によって前記第１の入力に後続する入力が検出された場合、前記第２の操作に対応する応答を開始することを特徴とする請求項２に記載の情報処理装置。
【請求項４】
前記検出手段は、前記入力対象面に対する前記操作オブジェクトのタッチ位置を検出するタッチ位置検出手段であって、
前記操作オブジェクトによる入力とは、前記タッチ位置検出手段が検出するタッチ位置に基づく入力であることを特徴とする請求項１乃至３のいずれか１項に記載の情報処理装置。
【請求項５】
前記検出手段は、前記操作オブジェクトが前記入力対象面にタッチした後、操作オブジェクトが前記入力対象面から離されるまでに検出される一連のタッチ位置を１つの入力として検出することを特徴とする請求項４に記載の情報処理装置。
【請求項６】
前記入力対象面に対する前記操作オブジェクトの近接位置を検出する近接位置検出手段を更に備え、
前記制御手段は、前記タッチ位置検出手段によって前記第１の入力を構成するタッチ位置が検出されなくなった時点以降に、前記近接位置検出手段によって検出される近接位置の情報に基づいて、前記検出手段によって前記操作オブジェクトによる前記第１の入力が検出された後の、前記入力対象面に平行な方向への前記操作オブジェクトの移動が前記所定の条件を満たすかを判定することを特徴とする請求項４又は５に記載の情報処理装置。
【請求項７】
前記制御手段は、前記タッチ位置検出手段によって前記第１の入力を構成するタッチ位置が検出されなくなった時点以降に、前記近接位置検出手段が検出する近接位置に基づいて、前記操作オブジェクトが前記入力対象面に近接した状態で前記入力対象面に平行な方向に移動した移動距離を取得し、
前記所定の条件とは、前記移動距離が所定の閾値を超えることであることを特徴とする請求項６に記載の情報処理装置。
【請求項８】
前記制御手段は、前記タッチ位置検出手段によって前記第１の入力を構成するタッチ位置が検出されなくなった時点以降に、前記近接位置検出手段が所定の時間間隔で前記近接位置を検出する度に、前記操作オブジェクトが前記入力対象面に近接した状態で前記入力対象面に平行な方向に移動した移動距離を取得し、
前記所定の条件とは、前記移動距離が所定の回数以上連続して閾値を超えることであることを特徴とする請求項６に記載の情報処理装置。
【請求項９】
前記操作オブジェクトが前記入力対象面に近接した状態で前記入力対象面に平行な方向に移動した移動距離とは、前記第１の入力の終わりで前記入力対象面から離された前記操作オブジェクトが、前記入力対象面に近接している状態において移動した距離の前記入力対象面に平行な軸に沿った成分のことであることを特徴とする請求項７又は８に記載の情報処理装置。
【請求項１０】
前記制御手段は、前記タッチ位置検出手段によって前記第１の入力を構成するタッチ位置が検出されなくなった時点以降に、前記近接位置検出手段が検出する近接位置に基づいて、前記操作オブジェクトが前記入力対象面に近接した状態で前記入力対象面に平行な方向のうちいずれの方向に移動したかを取得し、
前記所定の条件とは、前記取得した方向が所定の方向であることであることを特徴とする請求項６に記載の情報処理装置。
【請求項１１】
前記第１の入力の後、前記操作オブジェクトが前記第１の入力に後続する入力を行うために次にタッチする位置を特定する特定手段を更に備え、
前記所定の方向とは、前記第１の入力の最後にタッチされた位置から、前記特定手段に特定される前記操作オブジェクトが次にタッチする位置に向かう方向であることを特徴とする請求項７に記載の情報処理装置。
【請求項１２】
前記特定手段は、前記第１の入力の開始位置を、前記操作オブジェクトが次にタッチする位置と特定することを特徴とする請求項１１に記載の情報処理装置。
【請求項１３】
前記第１の操作は、シングルタップ操作であって、前記第２の操作とは、ダブルタップ操作であることを特徴とする請求項１乃至１２のいずれか１項に記載の情報処理装置。
【請求項１４】
前記第１の操作および第２の操作とは、前記入力対象面に対する手書き入力操作であって、
前記特定手段は、予め記憶された情報に基づいて、前記第１の入力に対応する一連のタッチ位置が構成する軌跡の次画として記憶されている軌跡の開始位置を、前記操作オブジェクトが次にタッチする位置と特定することを特徴とする請求項１１に記載の情報処理装置。
【請求項１５】
前記特定手段は、予め記憶された情報に基づいて、前記第１の入力と対応付けて記憶された第２の入力の開始位置を、前記操作オブジェクトが次にタッチする位置と特定することを特徴とする請求項１１に記載の情報処理装置。
【請求項１６】
前記特定手段は、前記情報処理装置が有する表示部においてＧＵＩオブジェクトが表示されている位置、あるいは前記情報処理装置が有する物理オブジェクトの設置位置を、前記操作オブジェクトが次にタッチする位置と特定することを特徴とする請求項１１に記載の情報処理装置。
【請求項１７】
更に、前記第２の操作と前記入力対象面内の領域を対応付けて記憶する記憶手段を備え、
前記制御手段は、前記タッチ位置検出手段が検出した前記第１の入力に対応するタッチ位置が、前記領域の外で検出された場合は、前記第１の入力に後続する入力の有無にかかわらず、前記第１の操作に対応する応答を開始すること特徴とする請求項４に記載の情報処理装置。
【請求項１８】
更に、前記第２の操作が認識される毎に、前記タッチ位置検出手段が検出した、前記第２の操作に対応するタッチ位置の情報に基づいて、前記操作に対応する前記領域を補正する領域補正手段
を備えることを特徴とする請求項１７に記載の情報処理装置。
【請求項１９】
前記検出手段は、前記操作オブジェクトの三次元位置を検出する検出手段であって、
前記操作オブジェクトによる入力とは、前記検出された三次元位置に基づく入力であることを特徴とする請求項１乃至３のいずれか１項に記載の情報処理装置。
【請求項２０】
第１の入力によって構成される第１の操作と、前記第１の入力と前記第１の入力に後続する入力との組み合わせによって構成される第２の操作とを認識可能な情報処理装置の制御方法であって、
検出手段により、操作オブジェクトによる入力を検出する検出工程と、
前記検出手段によって前記操作オブジェクトによる前記第１の入力が検出された後の、前記第１の入力の対象となった入力対象面に平行な方向への前記操作オブジェクトの移動が所定の条件を満たす場合、制御手段により、前記第１の入力に後続する入力の有無にかかわらず、前記第１の操作に対応する応答を開始するように出力を制御する制御工程と
を有することを特徴とする情報処理装置の制御方法。
【請求項２１】
コンピュータに読み込ませ実行させることで、前記コンピュータを請求項１乃至１９のいずれか１項に記載された情報処理装置の各手段として動作させるためのプログラム。
【請求項２２】
請求項２１のプログラムを記憶したコンピュータが読み取り可能な記憶媒体。
【手続補正２】
【補正対象書類名】明細書
【補正対象項目名】０００８
【補正方法】変更
【補正の内容】
【０００８】
上記課題を解決するため、本発明は、第１の入力によって構成される第１の操作と、前記第１の入力と前記第１の入力に後続する入力との組み合わせによって構成される第２の操作とを認識可能な情報処理装置であって、操作オブジェクトによる入力を検出する検出手段と、前記検出手段によって前記操作オブジェクトによる前記第１の入力が検出された後の、前記第１の入力の対象となった入力対象面に平行な方向への前記操作オブジェクトの移動が所定の条件を満たす場合、前記第１の入力に後続する入力の有無にかかわらず、前記第１の操作に対応する応答を開始するように出力を制御する制御手段とを備えることを特徴とする。